(57)【特許請求の範囲】
【請求項１】
循環可能な物流機器は、ベースと、トップカバーと、ベースに接続される折畳可能なサイドプレートと、外部にブロードキャストフレームを送信する無線ビーコン部と、を少なくとも備えており、
前記ベース、トップカバー又はサイドプレートにトリガスイッチが設けられており、
前記循環可能な物流機器のサイドプレートが折り畳んだ場合、前記トリガスイッチが第1トリガ状態となり第1電気信号を発生し、前記無線ビーコン部が前記第1電気信号に基づいて外部に無線ビーコン部唯一識別コード及び空箱信号を含むブロードキャストフレームを送信し、
前記循環可能な物流機器のサイドプレートが直立した場合、前記トリガスイッチが第2トリガ状態となり第2電気信号を発生し、前記無線ビーコン部が前記第2電気信号に基づいて外部に無線ビーコン部唯一識別コード及び満箱信号を含むブロードキャストフレームを送信する、ことを特徴とする空箱/満箱信号を提供できる循環可能な物流機器。
【請求項２】
前記循環可能な物流機器のサイドプレートが折り畳んだ場合、トリガスイッチの前記第1トリガ状態が前記トリガスイッチオフとなり、
前記循環可能な物流機器のサイドプレートが直立した場合、トリガスイッチの前記第2トリガ状態が前記トリガスイッチオンとなる、ことを特徴とする請求項１に記載の空箱/満箱信号を提供できる循環可能な物流機器。
【請求項３】
前記循環可能な物流機器のサイドプレートが折り畳んだ場合、トリガスイッチの前記第1トリガ状態が前記トリガスイッチオンとなり、
前記循環可能な物流機器のサイドプレートが直立した場合、トリガスイッチの前記第2トリガ状態が前記トリガスイッチオフとなる、ことを特徴とする請求項１に記載の空箱/満箱信号を提供できる循環可能な物流機器。
【請求項４】
前記循環可能な物流機器には導線回路がさらに設けられており、
前記導線回路において、前記トリガスイッチが導線によって前記無線ビーコン部に接続されており、
前記循環可能な物流機器のサイドプレートが折り畳んだ場合、前記トリガスイッチの第1トリガ状態により前記導線回路が第1状態となり、前記無線ビーコン部が相応の空箱信号を発生し、
前記循環可能な物流機器のサイドプレートが直立した場合、前記トリガスイッチの第2トリガ状態により前記導線回路が第2状態となり、前記無線ビーコン部が相応の満箱信号を発生する、ことを特徴とする請求項１に記載の空箱/満箱信号を提供できる循環可能な物流機器。
【請求項５】
前記トリガスイッチが対応位置にある金属片及びトリガ接点を備えており、
前記金属片が前記循環可能な物流機器のベースに設けられており、導線によって前記無線ビーコン部に接続されており、
前記トリガ接点が前記循環可能な物流機器のサイドプレートにおける当該サイドプレートの直立又は折畳時に当該トリガ接点がベースにおける金属片に接触する位置に設けられている、ことを特徴とする請求項１に記載の空箱/満箱信号を提供できる循環可能な物流機器。
【請求項６】
前記トリガスイッチが対応位置にある金属片及びトリガ接点を備えており、
前記金属片が前記循環可能な物流機器のトップカバーに設けられており、導線によって前記無線ビーコン部に接続されており、
前記トリガ接点が前記循環可能な物流機器のサイドプレートにおける当該サイドプレートの直立又は折畳時に当該トリガ接点がトップカバーにおける金属片に接触する位置に設けられている、ことを特徴とする請求項１に記載の空箱/満箱信号を提供できる循環可能な物流機器。
【請求項７】
前記トリガスイッチが対応位置にある金属片及びトリガ接点を備えており、
前記金属片が前記循環可能な物流機器のサイドプレートに設けられており、導線によって前記無線ビーコン部に接続されており、
前記トリガ接点が前記循環可能な物流機器の同一サイドプレートにおける当該サイドプレートの直立又は折畳時に当該トリガ接点が側面から金属片に接触する位置に設けられている、ことを特徴とする請求項１に記載の空箱/満箱信号を提供できる循環可能な物流機器。
【請求項８】
前記トリガスイッチが対応位置にある金属片及びトリガ接点を備えており、
前記金属片が前記循環可能な物流機器の第1サイドプレートに設けられており、導線によって前記無線ビーコン部に接続されており、
前記トリガ接点が前記第1サイドプレートと隣接する第2サイドプレートに設けられており、第1サイドプレート及び第2サイドプレートの直立又は折畳時に当該トリガ接点と前記金属片とが接触することができる位置にある、ことを特徴とする請求項１に記載の空箱/満箱信号を提供できる循環可能な物流機器。
【請求項９】
前記トリガスイッチがスプリングスイッチ又は磁気吸引スイッチである、ことを特徴とする請求項１に記載の空箱/満箱信号を提供できる循環可能な物流機器。
【請求項１０】
前記無線ビーコン部はRFID、Zigbee、ブルートゥース（登録商標）、wifi、iBeaconなどの無線通信方式により前記ブロードキャストフレームを送信する、ことを特徴とする請求項１乃至９の何れか一項に記載の空箱/満箱信号を提供できる循環可能な物流機器。
【請求項１１】
モバイル端末が、請求項１乃至１０の何れか一項に記載の循環可能な物流機器から無線方式によって送信された前記循環可能な物流機器の唯一識別コード及び当該循環可能な物流機器が発生した対応の満箱信号又は空箱信号を少なくとも含むブロードキャストフレームを受信するステップと、
モバイル端末が前記唯一識別コード及び対応の満箱信号又は空箱信号をサーバまでアップロードするステップとを備える、ことを特徴とする循環可能な物流機器の空箱/満箱信号の処理法。
【請求項１２】
前記ブロードキャストフレームには前記循環可能な物流機器の種類信号がさらに備える、ことを特徴とする請求項１１に記載の循環可能な物流機器の空箱/満箱信号の処理法。
【請求項１３】
モバイル端末が、請求項１乃至１０の何れか一項に記載の循環可能な物流機器から無線方式によって送信された前記循環可能な物流機器の唯一識別コード及び当該循環可能な物流機器が発生した対応の満箱信号又は空箱信号を少なくとも含むブロードキャストフレームを受信するように、制御する受信ユニットと、
モバイル端末が前記唯一識別コード及び対応の満箱信号又は空箱信号をサーバまでアップロードするように、制御する報告ユニットとを備える、ことを特徴とする循環可能な物流機器の空箱/満箱信号の処理システム。
【請求項１４】
前記受信ユニットの制御によってモバイル端末が受信されたブロードキャストフレームには前記循環可能な物流機器の種類信号がさらに備える、ことを特徴とする請求項１３に記載の循環可能な物流機器の空箱/満箱信号の処理システム。
【発明の詳細な説明】
【技術分野】
【０００１】
本発明は物流分野に関し、特に空箱/満箱信号を提供できる循環可能な物流機器及びその空箱/満箱信号の処理法とシステムに関する。
【背景技術】
【０００２】
物流分野において、常に循環可能な物流機器を追跡する。RFID（Radio Frequency Identification Devices、無線自動識別装置）技術はスマート物流分野においてよく使われる貨物/機器の追跡手段であり、特にアクティブRFIDによる設備/機器の中距離追跡にとって良好な効果を持っている。また、循環可能な物流機器に対しても、RFIDの代わりにiBeacon技術を採用してもよい。iBeaconは、アップル社が開発した低パワーロスのブルートゥース（BLE）（登録商標）による十分正確なマイクロポジショニングためのプロトコルであり、IOS7.0とアンドロイド4.3以降から対応している。この技術により、設備がある範囲でその他のiBeaconsからの信号を受信することができるとともに、自らの情報をある範囲でその他のユーザーに送信することができる。
【０００３】
上記無線識別技術はスマート管理物流機器のキーポイントと重点である。しかし、現在の無線識別技術は、循環可能な物流機器の空箱/満箱状態の検出に利用される際、目視と記録だけで実現される。そのため、効率が低く、循環可能な物流機器の利用状況をタイムリーに反映することができず、抜かれやすい。循環可能な物流機器の利用状況を纏めるための負荷と時間のコストが高く、管理センターによる調整と管理は不便である。
【発明の概要】
【０００４】
本発明は、空箱/満箱信号を発生できる循環可能な物流機器及びその空箱/満箱信号の処理法を提供することを目的とし、循環可能な物流機器の折畳/直立状態に応じて空箱/満箱信号を発生し、各循環可能な物流機器の空箱/満箱状態を正確に一括反映することで、循環可能な物流機器の利用状況を纏めるための負荷と時間が明らかに低減され、モバイル端末により各物流機器の情報が報告されて、管理センターによる調整と管理も便利になる。
【０００５】
上記技術課題を解決するために、本発明の実施形態には、ベースと、トップカバーと、ベースに接続される折畳可能なサイドプレートと、外部にブロードキャストフレームを送信する無線ビーコン部と、を少なくとも備える循環可能な物流機器であって、ベース、トップカバー又はサイドプレートにトリガスイッチが設けられており、循環可能な物流機器のサイドプレートが折り畳んだ場合、トリガスイッチが第1トリガ状態となり第1電気信号を発生し、無線ビーコン部が第1電気信号に基づいて外部に無線ビーコン部唯一識別コード及び空箱信号を含むブロードキャストフレームを送信し、循環可能な物流機器のサイドプレートが直立した場合、トリガスイッチが第2トリガ状態となり第2電気信号を発生し、無線ビーコン部が第2電気信号に基づいて外部に無線ビーコン部唯一識別コード及び満箱信号を含むブロードキャストフレームを送信する、空箱/満箱信号を提供できる循環可能な物流機器が開示されている。
【０００６】
本発明の実施形態には、モバイル端末が、循環可能な物流機器から無線方式によって送信された循環可能な物流機器の唯一識別コード及び当該循環可能な物流機器が発生した対応の満箱信号又は空箱信号を少なくとも含むブロードキャストフレームを受信するステップと、モバイル端末が唯一識別コード及び対応の満箱信号又は空箱信号をサーバまでアップロードするステップと、を備える循環可能な物流機器の空箱/満箱信号の処理法がさらに開示されている。
【０００７】
本発明の実施形態には、モバイル端末が、循環可能な物流機器から無線方式によって送信された循環可能な物流機器の唯一識別コード及び当該循環可能な物流機器が発生した対応の満箱信号又は空箱信号を少なくとも含むブロードキャストフレームを受信するように、制御する受信ユニットと、モバイル端末が唯一識別コード及び対応の満箱信号又は空箱信号をサーバまでアップロードするように、制御する報告ユニットと、を備える循環可能な物流機器の空箱/満箱信号の処理システムがさらに開示されている。
【０００８】
本発明の実施形態が既存技術に比べれば、主な区別及びその効果は下記の通りである。
【０００９】
各循環可能な物流機器が折畳/直立状態に変わるとともに、対応の空箱信号及び満箱信号を自動的に発生することで、循環可能な物流機器の利用状況を纏めるための負荷と時間が明らかに低減された。
【００１０】
各循環可能な物流機器の空箱/満箱状態を正確に一括反映することで、モバイル端末により各物流機器の情報が簡単に報告されて、管理センターによる調整と管理も便利になる。
【００１１】
さらに、導線回路によってトリガスイッチの状態が感知され、サイドプレートの折畳/直立時における導線回路のオン/オフ状態が異なることから、それ相応に無線ビーコン部を作動させて正確な空箱/満箱信号を発生させる。
【００１２】
さらに、モバイル端末が受信したブロードキャストフレームには、循環可能な物流機器の種類信号がさらに含まれているので、使用者がモバイル端末から必要な機器種類の空箱/満箱状態を容易に取得する。
【図面の簡単な説明】
【００１３】
【図１】本発明の第1実施形態における空箱/満箱信号を提供できる循環可能な物流機器の構成模式図である。
【図２】本発明の第2実施形態における循環可能な物流機器の直立状態時の模式図である。
【図３】本発明の第2実施形態における循環可能な物流機器の折畳状態時の模式図である。
【図４】（ａ）は本発明の第4実施形態における循環可能な物流機器の直立状態時の模式図であり、（ｂ）は本発明の第4実施形態における循環可能な物流機器の折畳状態時の模式図である。
【図５】（ａ）は本発明の第5実施形態における循環可能な物流機器の折畳状態時の模式図であり、（ｂ）は本発明の第5実施形態における循環可能な物流機器の直立状態時の模式図である。
【図６】本発明の第5実施形態における循環可能な物流機器の直立状態時の模式図である。
【図７】本発明の第5実施形態におけるスプリングスイッチの拡大構成模式図である。
【図８】本発明の第5実施形態における磁気吸引スイッチの拡大構成模式図である。
【図９】本発明の第6実施形態における当該循環可能な物流機器の空箱/満箱信号の処理法のフロー模式図である。
【図１０】本発明の第6実施形態における循環可能な物流機器の箱専用ジャンパーの回路図である。
【図１１】本発明の第6実施形態における循環可能な物流機器の情報伝送方式の適用シーンの模式図である。
【図１２】本発明の第7実施形態における循環可能な物流機器の空箱/満箱信号の処理システムの構成模式図である。
【発明を実施するための形態】
【００１４】
以下の記述において、読者が本願をより良く理解するように、大量な技術ディテールが開示された。ところが、これらの技術ディテール及び下記の各実施形態の変形と修正がなくても、本分野の一般技術者は、本願の各請求項の保護が要請される技術が実現できると、考えてもよい。
【００１５】
本発明の目的、技術及び優位性をより明確に示すために、図面を参照しながら、本発明の実施形態について、さらに具体的に説明する。
【００１６】
本発明の第1実施形態は、空箱/満箱信号を提供できる循環可能な物流機器に関する。図１は当該空箱/満箱信号を提供できる循環可能な物流機器の構成模式図であり、図１（ａ）は循環可能な物流機器の直立状態（満箱状態）時の模式図であり、並びに、図１（ｂ）は循環可能な物流機器の折畳状態（空箱状態）時の模式図である。
【００１７】
具体的に、図面に示されるように、当該空箱/満箱信号を提供できる循環可能な物流機器は、ベース1と、トップカバー2と、ベースに接続される折畳可能なサイドプレート3と、外部にブロードキャストフレームを送信する無線ビーコン部4と、を少なくとも備えている。
【００１８】
ベース、トップカバー又はサイドプレートにトリガスイッチが設けられている。トリガスイッチは、ベース、トップカバー又はサイドプレートに単独で設けられてもよく、ベース及びサイドプレート、トップカバー及びサイドプレート、又は隣接するサイドプレートに共同で設けられてもよく、もしくは、本分野の技術者が思い付かれる循環可能な物流機器の直立及び折畳状態に基づいてトリガスイッチ状態を変えるその他の様態であってもよい。
【００１９】
図１（ｂ）に示されるように、循環可能な物流機器のサイドプレートが折り畳んだ場合、トリガスイッチが第1トリガ状態となり第1電気信号を発生し、無線ビーコン部が第1電気信号に基づいて外部に無線ビーコン部唯一識別コード及び空箱信号を含むブロードキャストフレームを送信する。
【００２０】
図１（ａ）に示されるように、循環可能な物流機器のサイドプレートが直立した場合、トリガスイッチが第2トリガ状態となり第2電気信号を発生し、無線ビーコン部が第2電気信号に基づいて外部に無線ビーコン部唯一識別コード及び満箱信号を含むブロードキャストフレームを送信する。
【００２１】
無線ビーコン部はRFID、Zigbee、ブルートゥース、wifi、iBeaconなどの無線通信方式によりブロードキャストフレームを送信することが好ましい。無線ビーコン部は上記通信プロトコルに基づくチップである。
【００２２】
また、トリガスイッチのトリガ状態がオフ及びオンを含む。
【００２３】
循環可能な物流機器のサイドプレートが折り畳んだ場合、トリガスイッチの第1トリガ状態がトリガスイッチオフとなり、循環可能な物流機器のサイドプレートが直立した場合、トリガスイッチの第2トリガ状態がトリガスイッチオンとなる。
【００２４】
また、本発明のその他の実施形態において、第1トリガ状態及び第2トリガ状態が反対でもよい。即ち、循環可能な物流機器のサイドプレートが折り畳んだ場合、トリガスイッチの第1トリガ状態がオンとなり、空箱信号を送信し、循環可能な物流機器のサイドプレートが直立した場合、トリガスイッチの第2トリガ状態がオフとなり、満箱信号を送信するが、技術効果に影響を与えることはない。
【００２５】
トリガスイッチが発生する電気信号はハイレベル信号及びローレベル信号のどちらでもよく、ローレベル信号がゼロ電圧であってもよい。例えば、トリガスイッチがオフとなる場合、無線ビーコン部がゼロ電圧を検出する可能性がある。ゼロ電圧ではあるが、本願の各実施形態において電気信号の1種でもある。
【００２６】
本実施形態において、各循環可能な物流機器が折畳/直立状態に変わるとともに、対応の空箱信号及び満箱信号を自動的に発生することで、循環可能な物流機器の利用状況を纏めるための負荷と時間が明らかに低減された。
【００２７】
本発明の第2実施形態は、空箱/満箱信号を提供できる循環可能な物流機器に関する。第2実施形態は第1実施形態をベースに改良し、主な改良は、導線回路によってトリガスイッチの状態が感知され、サイドプレートの折畳/直立時における導線回路のオン/オフ状態が異なることから、それ相応に無線ビーコン部を作動させて正確な空箱/満箱信号を発生させることである。
【００２８】
循環可能な物流機器には導線回路がさらに設けられており、導線回路において、トリガスイッチが導線によって無線ビーコン部に接続されている。
【００２９】
循環可能な物流機器のサイドプレートが折り畳んだ場合、トリガスイッチの第1トリガ状態により導線回路が第1状態となり、無線ビーコン部が相応の空箱信号を発生する。
【００３０】
循環可能な物流機器のサイドプレートが直立した場合、トリガスイッチの第2トリガ状態により導線回路が第2状態となり、無線ビーコン部が相応の満箱信号を発生する。
【００３１】
また、循環可能な物流機器のサイドプレートが折り畳んだ場合、導線回路の第1状態がオフとなり、無線ビーコン部が空箱信号を発生する。循環可能な物流機器のサイドプレートが直立した場合、導線回路の第2状態がオンとなり、無線ビーコン部が満箱信号を発生する。本発明のその他の実施形態において、第1状態及び第2状態が反対でもよく、技術の効果に影響を与えることはない。
【００３２】
本発明の技術において、トリガスイッチのトリガ状態が循環可能な物流機器の折畳/直立状態の変換に従って変わり、トリガ状態によって無線ビーコン部が発生する相応の空箱/満箱信号を発生させる。そのため、循環可能な物流機器の折畳/直立状態を如何に感知することは、トリガスイッチのキーポイントである。
【００３３】
上記キーポイントについて、トリガスイッチが対応位置にある金属片及びトリガ接点を備えることが好ましい。
【００３４】
好適例として、図２は循環可能な物流機器の直立状態（満箱状態）時の模式図であり、並びに、図３は循環可能な物流機器の折畳状態（空箱状態）時の模式図である。
【００３５】
図２及び図３に示されるように、循環可能な物流機器は、ベース1と、トップカバー2と、ベースに接続される折畳可能なサイドプレート3と、無線ビーコン部4と、を少なくとも備えており、ベース、トップカバー又はサイドプレートに対応位置にある金属片51及びトリガ接点52を備えるトリガスイッチ5が設けられている。
【００３６】
金属片51は、循環可能な物流機器のベース1に設けられており、導線6によって無線ビーコン部4に接続されている。トリガ接点52は、循環可能な物流機器のサイドプレート3における当該サイドプレートの直立又は折畳時に当該トリガ接点がベースにおける金属片に接触する位置に設けられている。
【００３７】
図２に示されるように、当該循環可能な物流機器のサイドプレート3の直立時、サイドプレートにおけるトリガ接点52とベース1における金属片51とが接触されてオンとなり、PCBにおけるチップである無線ビーコン部4と回路が形成されて、当該容器が満箱信号を送信する。図３に示されるように、当該サイドプレートが倒れる場合、サイドプレートにおけるトリガ接点52がベースにおける金属片51と離れて、回路がオフとなり、当該容器が空箱信号を送信する。
【００３８】
もちろん、サイドプレートにおけるトリガ接点52及びベースにおける金属片51の位置を変更することで、上記好適例を反対の状況にすることができる。
即ち、当該サイドプレートが折り畳んだ場合又は倒れた場合、トリガ接点がベースにおける金属片に接触され、PCBにおけるチップと回路が形成されて、空箱信号を送信し、当該サイドプレートが直立した場合、トリガ接点がベースにおける金属片と離れて、回路がオフとなり、満箱信号を送信する。
【００３９】
また、金属片51を循環可能な物流機器のサイドプレート3に設け、トリガ接点52を循環可能な物流機器の底板1に設けることもでき、当該サイドプレートが直立した場合又は折り畳んだ場合、トリガ接点が金属片と接触すればよい。
【００４０】
また、循環可能な物流機器の空箱/満箱状態に対する感知方法は、回路のオン/オフに限らず、ベースに圧力センサー又はひずみゲージなどを埋め込み、ベース圧力の大きさ又はひずみ量によって機器の載置状況を反映する方法もある。
【００４１】
本発明の第3実施形態は、空箱/満箱信号を提供できる循環可能な物流機器に関する。第3実施形態は第2実施形態の代替案であり、トリガスイッチが対応位置にある金属片及びトリガ接点も備えており、その区別が下記の通りである。
【００４２】
第2実施形態において、金属片が循環可能な物流機器のベースに設けられており、導線によって無線ビーコン部に接続されており、トリガ接点が循環可能な物流機器のサイドプレートに設けられているが、第3実施形態において、金属片が循環可能な物流機器のトップカバーに設けられており、導線によって無線ビーコン部に接続されており、トリガ接点が循環可能な物流機器のサイドプレートにおける当該サイドプレートの直立又は折畳時に当該トリガ接点が金属片に接続する位置に設けられている。
【００４３】
本発明の第4実施形態は、空箱/満箱信号を提供できる循環可能な物流機器に関する。第4実施形態は第2実施形態の代替案であり、トリガスイッチが対応位置にある金属片及びトリガ接点も備えており、その区別が下記の通りである。
【００４４】
第2実施形態において、金属片が循環可能な物流機器のベースに設けられており、導線によって無線ビーコン部に接続されており、トリガ接点が循環可能な物流機器のサイドプレートに設けられているが、第4実施形態において、金属片が循環可能な物流機器のサイドプレートに設けられており、導線によって無線ビーコン部に接続されており、トリガ接点が循環可能な物流機器の同一サイドプレートにおける当該サイドプレートの直立又は折畳時に当該トリガ接点が側面から金属片に接触する位置に設けられている。
【００４５】
好適例として、図４（ａ）は循環可能な物流機器の直立状態（満箱状態）時の模式図であり、並びに、図４（ｂ）は循環可能な物流機器の折畳状態（空箱状態）時の模式図である。
【００４６】
図面に示されるように、金属片51が循環可能な物流機器のサイドプレート3に設けられており、導線6によって無線ビーコン部4に接続されており、トリガ接点52が循環可能な物流機器の同一サイドプレートにおける当該サイドプレートの直立又は折畳時に当該トリガ接点が側面から金属片に接触する位置に設けられている。
【００４７】
図４（ａ）に示されるように、当該循環可能な物流機器が直立した場合、サイドプレートに設けられているトリガ接点52が側面から金属片51に接続されて、オンとなることにより、PCBにおけるチップと回路が形成されており、当該容器が満箱信号を送信する。
【００４８】
図４（ｂ）に示されるように、当該サイドプレートが倒れた場合又は折り畳んだ場合、サイドプレートに設けられているトリガ接点52がベースにおける金属片51と離れて、回路がオフとなり、当該容器が空箱信号を送信する。
【００４９】
もちろん、サイドプレートにおけるトリガ接点52及びベースにおける金属片51の位置を変更することで、上記好適例を反対の状況にすることができる。
【００５０】
当該サイドプレートが折り畳んだ場合、トリガ接点がベースにおける金属片に接触され、PCBにおけるチップと回路が形成されて、空箱信号を送信し、当該サイドプレートが直立した場合、トリガ接点がベースにおける金属片と離れて、回路がオフとなり、満箱信号を送信する。
【００５１】
本発明の第5実施形態は、空箱/満箱信号を提供できる循環可能な物流機器に関する。第5実施形態は第2実施形態の代替案であり、トリガスイッチが対応位置にある金属片及びトリガ接点も備えており、その区別が下記の通りである。
【００５２】
第2実施形態において、金属片が循環可能な物流機器のベースに設けられており、導線によって無線ビーコン部に接続されており、トリガ接点が循環可能な物流機器のサイドプレートに設けられているが、第5実施形態において、金属片及びトリガ接点が隣接するサイドプレートに設けられており、当該サイドプレートが直立した場合又は折り畳んだ場合、トリガ接点と金属片とが接触することができる。
【００５３】
好適例として、図５（ａ）は循環可能な物流機器の折畳状態（空箱状態）時の模式図であり、並びに、図５（ｂ）は循環可能な物流機器の直立状態（満箱状態）時の模式図である。
【００５４】
図面に示されるように、金属片51が循環可能な物流機器の第1サイドプレートに設けられており、導線によって無線ビーコン部に接続されており、トリガ接点52が第1サイドプレートと隣接する第2サイドプレートに設けられており、第1サイドプレート及び第2サイドプレートの直立又は折畳時に当該トリガ接点と金属片とが接触することができる位置にあり、即ち金属片及びトリガ接点がそれぞれ隣接する両サイドプレートに嵌め込まれている。
【００５５】
図５（ａ）に示されるように、当該循環可能な物流機器が折り畳んだ場合、サイドプレートに設けられているトリガ接点52が隣接するサイドプレートにおける金属片51と離れて、回路がオフとなり、当該容器が空箱信号を送信する。
【００５６】
図５（ｂ）に示されるように、当該循環可能な物流機器が直立した場合、トリガ接点52と金属片51とが接触されてオンとなり、回路が形成されて、当該容器が満箱信号を送信する。
【００５７】
また、本発明のその他の実施形態において、トリガスイッチは、第2、3、4、5実施形態に示されるようにトリガスイッチ5が対応位置にある両金属片51及び両トリガ接点52を備える様態に限らずに、その他の様態であっても良い。
【００５８】
例えば、トリガスイッチ5の構成は図６に示されるように、トリガスイッチがコンタクトスイッチ53及びタブレット54を備えており、循環可能な物流機器が折り畳んだ場合、コンタクトスイッチ53とタブレット54とが接触されず、回路がオンとならなく、循環可能な物流機器が直立した場合、タブレット54が圧力を受けて下向きとなり、コンタクトスイッチ53とタブレット54とが接触されて、回路がオンとなる。
【００５９】
また、トリガスイッチはスプリングスイッチ、磁気吸引スイッチ又は感応式の構成などであってもよい。
【００６０】
図７はスプリングスイッチの拡大構成模式図であり、並びに、図8は磁気吸引スイッチの拡大構成模式図である。また、図７及び図８はスプリングスイッチ及び磁気吸引スイッチの具体的な例であり、本分野の技術者がその他の構成のスプリングスイッチ及び磁気吸引スイッチを利用して上記技術を図ってもよい。
【００６１】
トリガスイッチがスプリングスイッチである場合、循環可能な物流機器のサイドプレートの折畳時、スプリングスイッチにおける弾性部材が圧力を受けず、スプリングスイッチがオフとなり、循環可能な物流機器のサイドプレートの直立時、弾性部材が圧力を受けて、スプリングスイッチがオンとなる。
【００６２】
トリガスイッチが磁気吸引スイッチである場合、循環可能な物流機器のサイドプレートの折畳時、磁気吸引部材が吸引力を受けず、磁気吸引スイッチがオフとなり、サイドプレートの直立時、磁気吸引部材が力を受けて、磁気吸引スイッチがオンとなる。
【００６３】
本発明の第6実施形態は、循環可能な物流機器の空箱/満箱信号の処理法に関する。図９は当該循環可能な物流機器の空箱/満箱信号の処理法のフロー模式図である。
【００６４】
具体的に、図９に示されるように、当該循環可能な物流機器の空箱/満箱信号の処理法は、下記のステップを備えている。
【００６５】
ステップ901では、モバイル端末が、循環可能な物流機器から無線方式によって送信された循環可能な物流機器の唯一識別コード及び当該循環可能な物流機器が発生した対応の満箱信号又は空箱信号を少なくとも含むブロードキャストフレームを受信する。
【００６６】
その後、ステップ902に進み、モバイル端末が唯一識別コード及び対応の満箱信号又は空箱信号をサーバまでアップロードする。
【００６７】
その後、このフローが終了する。
【００６８】
モバイル端末は、循環可能な物流機器の供給側が使用するモバイル端末であり、循環可能な物流機器の空箱/満箱状態をサーバまで報告するためのものである。また、搬送側又は使用側が使用するモバイル端末は、供給側モバイル端末が報告した循環可能な物流機器の空箱/満箱状態を検索することができる。
【００６９】
ブロードキャストフレームが循環可能な物流機器の種類信号をさらに備えることが好ましい。循環可能な物流機器の種類は、当該機器の用途に基づいて液体又は固体を収める機器に分けられたり、機器の荷重の大きさに基づいて分類されたりする。
【００７０】
循環可能な物流機器の種類信号が予め設定されたジャンパーによって決定されることが好ましい。図１０は循環可能な物流機器の箱専用ジャンパーの回路図であり、図面に示されるように、メイン電子モジュールに溶接を選択可能なスイッチブロックが付き、出荷前に機器の種類に基づいてエンコーディングして溶接する。メイン電子モジュールは、読み込まれたスイッチ情報に基づいて、ブロードキャストフレームの種類信号の標識ビットでそれぞれ標識する。本発明のその他の実施形態において、ソフトウエアにより各種類ごとにエンコーディングする。
【００７１】
図１１は循環可能な物流機器の情報伝送方式の適用シーンの模式図である。
【００７２】
図１１に示されるように、循環可能な物流機器は、上記空箱/満箱信号の処理法により情報を伝送し、無線ビーコン部により無線方式にて無線ビーコン部の唯一識別コード及び当該循環可能な物流機器の空箱/満箱信号を少なくとも含むブロードキャストフレームを周期的に送信する。モバイル端末A又はモバイル端末Bは、ブロードキャストフレームを受信して、受信された無線ビーコン部の唯一識別コード及び対応の空箱/満箱信号をクラウドサーバまでアップロードする。モバイル端末Bは、クラウドサーバから各循環可能な物流機器の使用状態を取得する。端末は、例えば、携帯電話、タブレット、ノートパソコン、PDA（Personal Digital Assistant）などが好ましい。
【００７３】
本実施形態は、各循環可能な物流機器の空箱/満箱状態を正確に一括反映することで、モバイル端末により各物流機器の情報が簡単に報告されて、管理センターによる調整と管理も便利になる。使用者もモバイル端末から必要な機器種類の空箱/満箱状態を容易に取得する。
【００７４】
本発明の各方法の実施形態は、何れもソフトウエア、ハードウエア、ファームウエアなどの方式により実現できる。本発明はソフトウエア、ハードウエア、又はファームウエアにより実現するにも関わらず、コマンドコードがパソコンからアクセス可能などのタイプのメモリにも格納することができる（例えば、永久又は書き換え可能な媒体、揮発性又は非揮発性の媒体、固体又は非固体の媒体、固定又は変換可能な媒体など）。同様に、メモリは、例えば、PAL（Programmable Array Logic） 、RAM（Random Access Memory）、PROM（Programmable Read Only Memory）、ROM（Read-Only Memory）、EEPROM（Electrically Erasable Programmable ROM）、磁気ディスク、光ディスク、DVD（Digital Versatile Disc）などが挙げられる。
【００７５】
本発明の第7実施形態は、循環可能な物流機器の空箱/満箱信号の処理システムに関する。図１２は当該循環可能な物流機器の空箱/満箱信号の処理システムの構成模式図である。
【００７６】
具体的に、図１２に示されるように、当該循環可能な物流機器の空箱/満箱信号の処理システムは、モバイル端末が、第1乃至第5実施形態における循環可能な物流機器から無線方式によって送信された循環可能な物流機器の唯一識別コード及び当該循環可能な物流機器が発生した対応の満箱信号又は空箱信号を少なくとも含むブロードキャストフレームを受信するように、制御する受信ユニットと、モバイル端末が唯一識別コード及び対応の満箱信号又は空箱信号をサーバまでアップロードするように、制御する報告ユニットと、を備える。
【００７７】
受信ユニットの制御によってモバイル端末が受信されたブロードキャストフレームには循環可能な物流機器の種類信号がさらに備えることが好ましい。
【００７８】
第6実施形態は本実施形態に対応する方法の実施形態であり、本実施形態は第6実施形態に協力し合って実施できる。第6実施形態に関わる関連技術ディテールは本実施形態においても有効であり、繰返しの記述を避けるために、説明を省略する。相応に、本実施形態に関わる関連技術ディテールは第6実施形態にも適用できる。
【００７９】
上記のことから、本願の優位性は下記の通りである。
1.循環可能な物流機器の利用状況を纏める負荷と時間が大幅に低減された。
2.オペレーターがリモートで複数の異なる場所の物流機器の情報を取得することができる。
3.情報の信頼性と正確性が高くなる。
【００８０】
本発明の各機器の実施形態に関わる各ユニットはロジックユニットである。ロジックユニットは物理的に1つの物理ユニットでもよく、物理ユニットの一部でもよいが、複数の物理ユニットの組合せによっても実現できる。これらのロジックユニットそのものの物理的な実現方式は重要なものではなく、これらのロジックユニットが実現した機能の組合せは本発明に関わる技術課題を解決するためのキーポイントである。また、本発明の進歩性を明確にするために、本発明の上記各機器の実施形態は、本発明に関わる技術課題の解決と関連性が低いユニットについて説明していないが、その他のユニットを有していないことを示したわけではない。
【００８１】
本願の請求項及び明細書において、第1及び第2などの用語は一方の実物又は操作と他方の実物又は操作とを区別するためのものであり、これらの実物又は操作同士が実質的な関連性又は順序を持つことを要請もしくは暗示するものではない。さらに、用語の「備える」「含む」又はその他の変体が非排他的包含を示していることから、一連要素を含むプロセス、方法、部品又は機器はこれらの要素を含むだけでなく、明確にリストアップされていないその他の要素も含まれ、もしくはこれらのプロセス、方法、物品又は機器の固有要素も含まれる。その他の制限がない限り、記述の「1つの…を備える」によって限定された要素について、前記要素を備えるプロセス、方法、物品又は機器にその他の同様な要請がさらに備えることを排除したわけではない。
【００８２】
本発明の好適な実施形態を参考しながら、本発明に対して図示及び記述を実施したが、本発明の趣旨及び範囲に逸脱しない限り、本分野の一般技術者は形及びディテールに対して様々な変更を行うことができる。                    
【図１（ａ）】
0006442080.tif 000002
【図１（ｂ）】
0006442080.tif 000003
【図２】
0006442080.tif 000004
【図３】
0006442080.tif 000005
【図４（ａ）】
0006442080.tif 000006
【図４（ｂ）】
0006442080.tif 000007
【図５（ａ）】
0006442080.tif 000008
【図５（ｂ）】
0006442080.tif 000009
【図６】
0006442080.tif 000010
【図７】
0006442080.tif 000011
【図８】
0006442080.tif 000012
【図９】
0006442080.tif 000013
【図１０】
0006442080.tif 000014
【図１１】
0006442080.tif 000015
【図１２】
0006442080.tif 000016